【手続補正書】
【提出日】平成18年8月17日(2006.8.17)
【手続補正１】
【補正対象書類名】特許請求の範囲
【補正対象項目名】全文
【補正方法】変更
【補正の内容】
【特許請求の範囲】
【請求項１】
通信ネットワークを介して複数のクライアント端末とデータの送受信を行なうサーバ端末にインストールされ、このサーバ端末に、
前記通信ネットワークを介して前記クライアント端末をログインさせる機能と、
ログインした前記クライアント端末から送信されたそのユーザの勤務状況を表す画像データを記憶領域に記憶する機能と、
ログインした前記クライアント端末に対して、前記記憶領域に記憶するログインしたユーザの勤務状況を表す画像データを規定のブラウザによって閲覧可能なデータ形式で配信する機能と、
を実行させ、ログイン中のユーザの勤務状況を表す画像データを個々の前記クライアント端末で相互に閲覧可能にしたコンピュータ読み取り可能な仮想オフィス空間提供プログラム。
【請求項２】
通信ネットワークを介して複数のクライアント端末とデータの送受信を行なうサーバ端末機能を有する仮想オフィス空間提供装置であって、
前記通信ネットワークを介して前記クライアント端末をログインさせる手段と、
ログインした前記クライアント端末から送信されたそのユーザの勤務状況を表す画像データを記憶領域に記憶する手段と、
ログインした前記クライアント端末に対して、前記記憶領域に記憶するログインしたユーザの勤務状況を表す画像データを規定のブラウザによって閲覧可能なデータ形式で配信する手段と、
を備え、ログイン中のユーザの勤務状況を表す画像データを個々の前記クライアント端末で相互に閲覧可能にした仮想オフィス空間提供装置。
【請求項３】
１又は２以上のユーザが含まれる１又は２以上のユーザグループを定義する手段と、
前記クライアント端末での閲覧画像を定義されたユーザグループ単位に切り替えるための表示切替プログラムを前記クライアント端末に送信する手段と、
を備える請求項２記載の仮想オフィス空間提供装置。
【請求項４】
ユーザグループを定義する手段は、同一のユーザを複数の異なるグループに含めることができる請求項３記載の仮想オフィス空間提供装置。
【請求項５】
ログインした前記クライアント端末に配信するログインしたユーザの勤務状況を表す画像データを更新する手段を備える請求項３記載の仮想オフィス空間提供装置。
【請求項６】
前記表示切替プログラムは、前記クライアント端末に、前記クライアント端末が閲覧しているユーザグループを特定するグループ特定情報を前記仮想オフィス空間提供装置に送信する機能を実行させ、
前記クライアント端末から送信されたグループ特定情報に基づいてそのクライアント端末が閲覧しているユーザグループを認識する手段と、
その認識結果に基づいて、ログインしたユーザの勤務状況を表す画像データの更新頻度を、前記クライアント端末が閲覧しているユーザグループの方を閲覧していないユーザグループの方よりも多くする手段と、
を備える請求項５記載の仮想オフィス空間提供装置。
【請求項７】
ユーザグループを定義する手段は、入力操作に応じてユーザグループを定義する請求項３記載の仮想オフィス空間提供装置。
【請求項８】
ユーザグループを定義する手段は、前記クライアント端末側からの指示に応じてそのクライアント端末でのみ有効となるようにユーザグループを定義する請求項３記載の仮想オフィス空間提供装置。
【請求項９】
前記表示切替プログラムは、前記クライアント端末に、他の前記クライアント端末からの指示に応じてそのクライアント端末でのみ有効となるように実行されるユーザグループの定義を自機でも有効となるようにする機能を実行させる請求項８記載の仮想オフィス空間提供装置。
【請求項１０】
前記クライアント端末での閲覧画面中におけるログインしたユーザの配列を定義する手段と、
前記クライアント端末での閲覧画面中におけるログインしたユーザの配列を定義されたユーザ配列に切り替えるための表示切替プログラムを送信する手段と、
を実行させる請求項２記載の仮想オフィス空間提供装置。
【請求項１１】
前記ユーザ配列を定義する手段は、入力操作に応じてユーザ配列を定義する請求項１０記載の仮想オフィス空間提供装置。
【請求項１２】
前記ユーザ配列を定義する手段は、前記クライアント端末側からの指示に応じてそのクライアント端末でのみ有効となるようにユーザ配列を定義する請求項１０記載の仮想オフィス空間提供装置。
【請求項１３】
前記表示切替プログラムは、前記クライアント端末に、他の前記クライアント端末からの指示に応じてそのクライアント端末でのみ有効となるように実行される前記ユーザ配列の定義を自機でも有効となるようにする機能を実行させる請求項１２記載の仮想オフィス空間提供装置。
【請求項１４】
前記クライアント端末に配信するログインしたユーザの勤務状況を表す画像データを加工する表示制御を実行する手段を備える請求項２記載の仮想オフィス空間提供装置。
【請求項１５】
記憶領域に記憶されている前記クライアント端末を使用するユーザ間の関係を定義するユーザ関係定義と、このユーザ関係定義に基づいて決定されるログインしたユーザの勤務状況を表す画像データに対して実行すべき表示制御の内容を定義する制御定義と、を参照する手段と、
参照した前記ユーザ関係定義に基づき決定される前記制御定義に従い、個々の前記クライアント端末に配信するログインしたユーザの勤務状況を表す画像データに対して実行すべき表示制御の内容を決定する手段と、
を備える請求項１４記載の仮想オフィス空間提供装置。
【請求項１６】
他のユーザが前記クライアント端末で閲覧する自分の勤務状況を表す画像データに対して実行すべき表示制御の内容を指示する表示制御指示を前記クライアント端末から自機に送信可能とする表示制御指示プログラムを前記クライアント端末に送信する手段と、
前記クライアント端末から送信された表示制御指示に応じて、前記クライアント端末に配信するログインしたユーザの勤務状況を表す画像データに対して実行すべき表示制御の内容を決定する手段と、
を備える請求項１４記載の仮想オフィス空間提供装置。
【請求項１７】
前記表示制御指示プログラムは、前記クライアント端末に、画像データに対して実行する表示制御の内容を規定する複数の表示制御パラメータの中から所望の表示制御パラメータを選択する機能を実行させ、これによって自分の勤務状況を表す画像データに対して実行すべき表示制御の内容をユーザに指示させるようにした請求項１６記載の仮想オフィス空間提供装置。
【請求項１８】
前記表示制御指示プログラムは、前記クライアント端末に、画像データに対して実行する表示制御の内容を規定する表示制御パラメータを調整する機能を実行させ、これによって自分の勤務状況を表す画像データに対して実行すべき表示制御の程度をユーザに指示させるようにした請求項１６記載の仮想オフィス空間提供装置。
【請求項１９】
ログインした前記クライアント端末に対して、選択指示に応じてリンク先の情報を閲覧可能とするリンク情報を表示させる手段を備える請求項２記載の仮想オフィス空間提供装置。
【請求項２０】
表示させるリンク情報を、ログインした前記クライアント端末を使用するユーザに応じて個々に決定する請求項１９記載の仮想オフィス空間提供装置。
【請求項２１】
表示させるリンク情報を、ログインした前記クライアント端末を使用するユーザが属するユーザグループに応じて個々に決定する請求項１９記載の仮想オフィス空間提供装置。
【請求項２２】
通信ネットワークを介してサーバ端末と複数のクライアント端末とがデータの送受信を行なうシステムで実行される仮想オフィス空間提供方法であって、
前記サーバ端末が、
前記通信ネットワークを介して前記クライアント端末をログインさせる工程と、
ログインした前記クライアント端末から送信されたそのユーザの勤務状況を表す画像データを記憶領域に記憶する工程と、
ログインした前記クライアント端末に対して、前記記憶領域に記憶するログインしたユーザの勤務状況を表す画像データを規定のブラウザによって閲覧可能なデータ形式で配信する工程と、
を実行し、
前記規定のブラウザをインストールしている前記クライアント端末が、
前記サーバ端末にログイン情報を送信する工程と、
前記サーバ端末にユーザの勤務状況を表す画像データを送信する工程と、
前記サーバ端末から配信されたログインしたユーザの勤務状況を表す画像データを前記ブラウザのブラウズ機能を用いて閲覧可能にする工程と、
を実行し、
ログイン中のユーザの勤務状況を表す画像データを個々の前記クライアント端末で相互に閲覧可能にした仮想オフィス空間提供方法。
【請求項２３】
通信ネットワークを介してサーバ端末と複数のクライアント端末とがデータの送受信を行なうシステムであって、
前記サーバ端末は、
前記通信ネットワークを介して前記クライアント端末をログインさせる手段と、
ログインした前記クライアント端末から送信されたそのユーザの勤務状況を表す画像データを記憶領域に記憶する手段と、
ログインした前記クライアント端末に対して、前記記憶領域に記憶するログインしたユーザの勤務状況を表す画像データを規定のブラウザによって閲覧可能なデータ形式で配信する手段と、
を備え、
前記クライアント端末は、前記規定のブラウザをインストールしており、
前記サーバ端末にログイン情報を送信する手段と、
前記サーバ端末にユーザの勤務状況を表す画像データを送信する手段と、
前記サーバ端末から配信されたログインしたユーザの勤務状況を表す画像データを前記ブラウザのブラウズ機能を用いて閲覧可能にする手段と、
を備え、
ログイン中のユーザの勤務状況を表す画像データを個々の前記クライアント端末で相互に閲覧可能にした仮想オフィス空間提供システム。
【手続補正２】
【補正対象書類名】明細書
【補正対象項目名】発明の名称
【補正方法】変更
【補正の内容】
【発明の名称】仮想オフィス空間提供プログラム、仮想オフィス空間提供装置、仮想オフィス空間提供方法、及び仮想オフィス空間提供システム
【手続補正３】
【補正対象書類名】明細書
【補正対象項目名】０００１
【補正方法】変更
【補正の内容】
【０００１】
本発明は、通信ネットワークを介して接続される複数のコンピュータの間で仮想的なオフィス空間を共有させる仮想オフィス空間提供プログラム、仮想オフィス空間提供装置、仮想オフィス空間提供方法、及び仮想オフィス空間提供システムに関する。
【手続補正４】
【補正対象書類名】明細書
【補正対象項目名】０００８
【補正方法】変更
【補正の内容】
【０００８】
本発明は、まず、ログイン中のユーザの勤務状況を表す画像データを個々の前記クライアント端末で相互に閲覧可能にする仮想オフィス空間提供プログラム、仮想オフィス空間提供装置、仮想オフィス空間提供方法、及び仮想オフィス空間提供システムを提供する。
【手続補正５】
【補正対象書類名】明細書
【補正対象項目名】００１０
【補正方法】変更
【補正の内容】
【００１０】
また、請求項２記載の発明は、通信ネットワークを介して複数のクライアント端末とデータの送受信を行なうサーバ端末機能を有する仮想オフィス空間提供装置であって、前記通信ネットワークを介して前記クライアント端末をログインさせる手段と、ログインした前記クライアント端末から送信されたそのユーザの勤務状況を表す画像データを記憶領域に記憶する手段と、ログインした前記クライアント端末に対して、前記記憶領域に記憶するログインしたユーザの勤務状況を表す画像データを規定のブラウザによって閲覧可能なデータ形式で配信する手段と、を備え、ログイン中のユーザの勤務状況を表す画像データを個々の前記クライアント端末で相互に閲覧可能にした仮想オフィス空間提供装置である。
【手続補正６】
【補正対象書類名】明細書
【補正対象項目名】００１１
【補正方法】変更
【補正の内容】
【００１１】
また、請求項２２記載の発明は、通信ネットワークを介してサーバ端末と複数のクライアント端末とがデータの送受信を行なうシステムで実行される仮想オフィス空間提供方法であって、前記サーバ端末が、前記通信ネットワークを介して前記クライアント端末をログインさせる工程と、ログインした前記クライアント端末から送信されたそのユーザの勤務状況を表す画像データを記憶領域に記憶する工程と、ログインした前記クライアント端末に対して、前記記憶領域に記憶するログインしたユーザの勤務状況を表す画像データを規定のブラウザによって閲覧可能なデータ形式で配信する工程と、を実行し、前記規定のブラウザをインストールしている前記クライアント端末が、前記サーバ端末にログイン情報を送信する工程と、前記サーバ端末にユーザの勤務状況を表す画像データを送信する工程と、前記サーバ端末から配信されたログインしたユーザの勤務状況を表す画像データを前記ブラウザのブラウズ機能を用いて閲覧可能にする工程と、を実行し、ログイン中のユーザの勤務状況を表す画像データを個々の前記クライアント端末で相互に閲覧可能にした仮想オフィス空間提供方法である。
【手続補正７】
【補正対象書類名】明細書
【補正対象項目名】００１２
【補正方法】変更
【補正の内容】
【００１２】
さらに、請求項２３記載の発明は、通信ネットワークを介してサーバ端末と複数のクライアント端末とがデータの送受信を行なうシステムであって、前記サーバ端末は、前記通信ネットワークを介して前記クライアント端末をログインさせる手段と、ログインした前記クライアント端末から送信されたそのユーザの勤務状況を表す画像データを記憶領域に記憶する手段と、ログインした前記クライアント端末に対して、前記記憶領域に記憶するログインしたユーザの勤務状況を表す画像データを規定のブラウザによって閲覧可能なデータ形式で配信する手段と、を備え、前記クライアント端末は、前記規定のブラウザをインストールしており、前記サーバ端末にログイン情報を送信する手段と、前記サーバ端末にユーザの勤務状況を表す画像データを送信する手段と、前記サーバ端末から配信されたログインしたユーザの勤務状況を表す画像データを前記ブラウザのブラウズ機能を用いて閲覧可能にする手段と、を備え、ログイン中のユーザの勤務状況を表す画像データを個々の前記クライアント端末で相互に閲覧可能にした仮想オフィス空間提供システムである。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
また、請求項３記載の発明は、１又は２以上のユーザが含まれる１又は２以上のユーザグループを定義する手段と、前記クライアント端末での閲覧画像を定義されたユーザグループ単位に切り替えるための表示切替プログラムを前記クライアント端末に送信する手段と、を備える請求項２記載の仮想オフィス空間提供装置である。
【手続補正１６】
【補正対象書類名】明細書
【補正対象項目名】００２２
【補正方法】変更
【補正の内容】
【００２２】
請求項４記載の発明は、ユーザグループを定義する手段は、同一のユーザを複数の異なるグループに含めることができる請求項３記載の仮想オフィス空間提供装置である。
【手続補正１７】
【補正対象書類名】明細書
【補正対象項目名】００２３
【補正方法】変更
【補正の内容】
【００２３】
請求項５記載の発明は、ログインした前記クライアント端末に配信するログインしたユーザの勤務状況を表す画像データを更新する手段を備える請求項３記載の仮想オフィス空間提供装置である。
【手続補正１８】
【補正対象書類名】明細書
【補正対象項目名】００２４
【補正方法】変更
【補正の内容】
【００２４】
請求項６記載の発明は、前記表示切替プログラムは、前記クライアント端末に、前記クライアント端末が閲覧しているユーザグループを特定するグループ特定情報を前記仮想オフィス空間提供装置に送信する機能を実行させ、前記クライアント端末から送信されたグループ特定情報に基づいてそのクライアント端末が閲覧しているユーザグループを認識する手段と、その認識結果に基づいて、ログインしたユーザの勤務状況を表す画像データの更新頻度を、前記クライアント端末が閲覧しているユーザグループの方を閲覧していないユーザグループの方よりも多くする手段と、を備える請求項５記載の仮想オフィス空間提供装置である。
【手続補正１９】
【補正対象書類名】明細書
【補正対象項目名】００２５
【補正方法】変更
【補正の内容】
【００２５】
請求項７記載の発明は、ユーザグループを定義する手段は、入力操作に応じてユーザグループを定義する請求項３記載の仮想オフィス空間提供装置である。
【手続補正２０】
【補正対象書類名】明細書
【補正対象項目名】００２６
【補正方法】変更
【補正の内容】
【００２６】
請求項８記載の発明は、ユーザグループを定義する手段は、前記クライアント端末側からの指示に応じてそのクライアント端末でのみ有効となるようにユーザグループを定義する請求項３記載の仮想オフィス空間提供装置である。
【手続補正２１】
【補正対象書類名】明細書
【補正対象項目名】００２７
【補正方法】変更
【補正の内容】
【００２７】
請求項９記載の発明は、前記表示切替プログラムは、前記クライアント端末に、他の前記クライアント端末からの指示に応じてそのクライアント端末でのみ有効となるように実行されるユーザグループの定義を自機でも有効となるようにする機能を実行させる請求項８記載の仮想オフィス空間提供装置である。
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】変更
【補正の内容】
【００４７】
また、請求項１０記載の発明は、前記クライアント端末での閲覧画面中におけるログインしたユーザの配列を定義する手段と、前記クライアント端末での閲覧画面中におけるログインしたユーザの配列を定義されたユーザ配列に切り替えるための表示切替プログラムを送信する手段と、を実行させる請求項２記載の仮想オフィス空間提供装置である。
【手続補正４１】
【補正対象書類名】明細書
【補正対象項目名】００４８
【補正方法】変更
【補正の内容】
【００４８】
請求項１１記載の発明は、前記ユーザ配列を定義する手段は、入力操作に応じてユーザ配列を定義する請求項１０記載の仮想オフィス空間提供装置である。
【手続補正４２】
【補正対象書類名】明細書
【補正対象項目名】００４９
【補正方法】変更
【補正の内容】
【００４９】
請求項１２記載の発明は、前記ユーザ配列を定義する手段は、前記クライアント端末側からの指示に応じてそのクライアント端末でのみ有効となるようにユーザ配列を定義する請求項１０記載の仮想オフィス空間提供装置である。
【手続補正４３】
【補正対象書類名】明細書
【補正対象項目名】００５０
【補正方法】変更
【補正の内容】
【００５０】
請求項１３記載の発明は、前記表示切替プログラムは、前記クライアント端末に、他の前記クライアント端末からの指示に応じてそのクライアント端末でのみ有効となるように実行される前記ユーザ配列の定義を自機でも有効となるようにする機能を実行させる請求項１２記載の仮想オフィス空間提供装置である。
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】００６３
【補正方法】削除
【補正の内容】
【手続補正５６】
【補正対象書類名】明細書
【補正対象項目名】００６４
【補正方法】削除
【補正の内容】
【手続補正５７】
【補正対象書類名】明細書
【補正対象項目名】００６５
【補正方法】変更
【補正の内容】
【００６５】
また、請求項１４記載の発明は、前記クライアント端末に配信するログインしたユーザの勤務状況を表す画像データを加工する表示制御を実行する手段を備える請求項２記載の仮想オフィス空間提供装置である。
【手続補正５８】
【補正対象書類名】明細書
【補正対象項目名】００６６
【補正方法】変更
【補正の内容】
【００６６】
請求項１５記載の発明は、記憶領域に記憶されている前記クライアント端末を使用するユーザ間の関係を定義するユーザ関係定義と、このユーザ関係定義に基づいて決定されるログインしたユーザの勤務状況を表す画像データに対して実行すべき表示制御の内容を定義する制御定義と、を参照する手段と、参照した前記ユーザ関係定義に基づき決定される前記制御定義に従い、個々の前記クライアント端末に配信するログインしたユーザの勤務状況を表す画像データに対して実行すべき表示制御の内容を決定する手段と、を備える請求項１４記載の仮想オフィス空間提供装置である。
【手続補正５９】
【補正対象書類名】明細書
【補正対象項目名】００６７
【補正方法】変更
【補正の内容】
【００６７】
請求項１６記載の発明は、他のユーザが前記クライアント端末で閲覧する自分の勤務状況を表す画像データに対して実行すべき表示制御の内容を指示する表示制御指示を前記クライアント端末から自機に送信可能とする表示制御指示プログラムを前記クライアント端末に送信する手段と、前記クライアント端末から送信された表示制御指示に応じて、前記クライアント端末に配信するログインしたユーザの勤務状況を表す画像データに対して実行すべき表示制御の内容を決定する手段と、を備える請求項１４記載の仮想オフィス空間提供装置である。
【手続補正６０】
【補正対象書類名】明細書
【補正対象項目名】００６８
【補正方法】変更
【補正の内容】
【００６８】
請求項１７記載の発明は、前記表示制御指示プログラムは、前記クライアント端末に、画像データに対して実行する表示制御の内容を規定する複数の表示制御パラメータの中から所望の表示制御パラメータを選択する機能を実行させ、これによって自分の勤務状況を表す画像データに対して実行すべき表示制御の内容をユーザに指示させるようにした請求項１６記載の仮想オフィス空間提供装置である。
【手続補正６１】
【補正対象書類名】明細書
【補正対象項目名】００６９
【補正方法】変更
【補正の内容】
【００６９】
請求項１８記載の発明は、前記表示制御指示プログラムは、前記クライアント端末に、画像データに対して実行する表示制御の内容を規定する表示制御パラメータを調整する機能を実行させ、これによって自分の勤務状況を表す画像データに対して実行すべき表示制御の程度をユーザに指示させるようにした請求項１６記載の仮想オフィス空間提供装置である。
【手続補正６２】
【補正対象書類名】明細書
【補正対象項目名】００７０
【補正方法】削除
【補正の内容】
【手続補正６３】
【補正対象書類名】明細書
【補正対象項目名】００７１
【補正方法】削除
【補正の内容】
【手続補正６４】
【補正対象書類名】明細書
【補正対象項目名】００７２
【補正方法】削除
【補正の内容】
【手続補正６５】
【補正対象書類名】明細書
【補正対象項目名】００７３
【補正方法】削除
【補正の内容】
【手続補正６６】
【補正対象書類名】明細書
【補正対象項目名】００７４
【補正方法】削除
【補正の内容】
【手続補正６７】
【補正対象書類名】明細書
【補正対象項目名】００７５
【補正方法】削除
【補正の内容】
【手続補正６８】
【補正対象書類名】明細書
【補正対象項目名】００７６
【補正方法】削除
【補正の内容】
【手続補正６９】
【補正対象書類名】明細書
【補正対象項目名】００７７
【補正方法】削除
【補正の内容】
【手続補正７０】
【補正対象書類名】明細書
【補正対象項目名】００７８
【補正方法】削除
【補正の内容】
【手続補正７１】
【補正対象書類名】明細書
【補正対象項目名】００７９
【補正方法】削除
【補正の内容】
【手続補正７２】
【補正対象書類名】明細書
【補正対象項目名】００８１
【補正方法】削除
【補正の内容】
【手続補正７３】
【補正対象書類名】明細書
【補正対象項目名】００８２
【補正方法】削除
【補正の内容】
【手続補正７４】
【補正対象書類名】明細書
【補正対象項目名】００８３
【補正方法】削除
【補正の内容】
【手続補正７５】
【補正対象書類名】明細書
【補正対象項目名】００８４
【補正方法】変更
【補正の内容】
【００８４】
また、請求項１９記載の発明は、ログインした前記クライアント端末に対して、選択指示に応じてリンク先の情報を閲覧可能とするリンク情報を表示させる手段を備える請求項２記載の仮想オフィス空間提供装置である。
【手続補正７６】
【補正対象書類名】明細書
【補正対象項目名】００８５
【補正方法】変更
【補正の内容】
【００８５】
請求項２０記載の発明は、表示させるリンク情報を、ログインした前記クライアント端末を使用するユーザに応じて個々に決定する請求項１９記載の仮想オフィス空間提供装置である。
【手続補正７７】
【補正対象書類名】明細書
【補正対象項目名】００８６
【補正方法】変更
【補正の内容】
【００８６】
請求項２１記載の発明は、表示させるリンク情報を、ログインした前記クライアント端末を使用するユーザが属するユーザグループに応じて個々に決定する請求項１９記載の仮想オフィス空間提供装置である。
【手続補正７８】
【補正対象書類名】明細書
【補正対象項目名】００８７
【補正方法】削除
【補正の内容】
【手続補正７９】
【補正対象書類名】明細書
【補正対象項目名】００８８
【補正方法】削除
【補正の内容】
【手続補正８０】
【補正対象書類名】明細書
【補正対象項目名】００８９
【補正方法】削除
【補正の内容】
【手続補正８１】
【補正対象書類名】明細書
【補正対象項目名】００９０
【補正方法】削除
【補正の内容】
【手続補正８２】
【補正対象書類名】明細書
【補正対象項目名】００９１
【補正方法】削除
【補正の内容】
【手続補正８３】
【補正対象書類名】明細書
【補正対象項目名】００９２
【補正方法】削除
【補正の内容】
【手続補正８４】
【補正対象書類名】明細書
【補正対象項目名】００９３
【補正方法】削除
【補正の内容】
【手続補正８５】
【補正対象書類名】明細書
【補正対象項目名】００９５
【補正方法】削除
【補正の内容】
【手続補正８６】
【補正対象書類名】明細書
【補正対象項目名】００９６
【補正方法】削除
【補正の内容】
【手続補正８７】
【補正対象書類名】明細書
【補正対象項目名】００９７
【補正方法】削除
【補正の内容】
【手続補正８８】
【補正対象書類名】明細書
【補正対象項目名】００９８
【補正方法】削除
【補正の内容】
【手続補正８９】
【補正対象書類名】明細書
【補正対象項目名】００９９
【補正方法】削除
【補正の内容】
【手続補正９０】
【補正対象書類名】明細書
【補正対象項目名】０１００
【補正方法】削除
【補正の内容】
【手続補正９１】
【補正対象書類名】明細書
【補正対象項目名】０１０１
【補正方法】削除
【補正の内容】
【手続補正９２】
【補正対象書類名】明細書
【補正対象項目名】０１０２
【補正方法】削除
【補正の内容】
【手続補正９３】
【補正対象書類名】明細書
【補正対象項目名】０１０３
【補正方法】削除
【補正の内容】
【手続補正９４】
【補正対象書類名】明細書
【補正対象項目名】０１０４
【補正方法】削除
【補正の内容】
【手続補正９５】
【補正対象書類名】明細書
【補正対象項目名】０１０５
【補正方法】削除
【補正の内容】
【手続補正９６】
【補正対象書類名】明細書
【補正対象項目名】０１０６
【補正方法】削除
【補正の内容】
【手続補正９７】
【補正対象書類名】明細書
【補正対象項目名】０１０７
【補正方法】削除
【補正の内容】
【手続補正９８】
【補正対象書類名】明細書
【補正対象項目名】０１０８
【補正方法】削除
【補正の内容】
【手続補正９９】
【補正対象書類名】明細書
【補正対象項目名】０１０９
【補正方法】削除
【補正の内容】
【手続補正１００】
【補正対象書類名】明細書
【補正対象項目名】０１１０
【補正方法】削除
【補正の内容】
【手続補正１０１】
【補正対象書類名】明細書
【補正対象項目名】０１１１
【補正方法】削除
【補正の内容】
【手続補正１０２】
【補正対象書類名】明細書
【補正対象項目名】０１１２
【補正方法】削除
【補正の内容】
【手続補正１０３】
【補正対象書類名】明細書
【補正対象項目名】０１１３
【補正方法】削除
【補正の内容】
【手続補正１０４】
【補正対象書類名】明細書
【補正対象項目名】０１１４
【補正方法】変更
【補正の内容】
【０１１４】
請求項２記載の発明は、通信ネットワークを介して複数のクライアント端末とデータの送受信を行なうサーバ端末機能を有する仮想オフィス空間提供装置であって、前記通信ネットワークを介して前記クライアント端末をログインさせる手段と、ログインした前記クライアント端末から送信されたそのユーザの勤務状況を表す画像データを記憶領域に記憶する手段と、ログインした前記クライアント端末に対して、前記記憶領域に記憶するログインしたユーザの勤務状況を表す画像データを規定のブラウザによって閲覧可能なデータ形式で配信する手段と、を備え、ログイン中のユーザの勤務状況を表す画像データを個々の前記クライアント端末で相互に閲覧可能にした仮想オフィス空間提供装置であるので、ログイン中のユーザの勤務状況を表す画像データを個々のクライアント端末で相互に閲覧可能にする環境を提供することができ、現実のオフィスが空間的に離れていたとしても、そのような空間内の現実の移動を強いることなく、各ユーザの在席確認や雰囲気共有等を実現することができる。
【手続補正１０５】
【補正対象書類名】明細書
【補正対象項目名】０１１５
【補正方法】変更
【補正の内容】
【０１１５】
請求項３記載の発明は、１又は２以上のユーザが含まれる１又は２以上のユーザグループを定義する手段と、前記クライアント端末での閲覧画像を定義されたユーザグループ単位に切り替えるための表示切替プログラムを前記クライアント端末に送信する手段と、を備える請求項２記載の仮想オフィス空間提供装置であるので、クライアント端末での閲覧画面をユーザグループ単位とすることができ、したがって、参加ユーザ数が増加した場合にも閲覧画面の視認性低下を防止することができる。
【手続補正１０６】
【補正対象書類名】明細書
【補正対象項目名】０１１６
【補正方法】変更
【補正の内容】
【０１１６】
請求項４記載の発明は、ユーザグループを定義する手段は、同一のユーザを複数の異なるグループに含めることができる請求項３記載の仮想オフィス空間提供装置であるので、ユーザグループの定義を柔軟且つ実情に沿わせて行なうことができる。
【手続補正１０７】
【補正対象書類名】明細書
【補正対象項目名】０１１７
【補正方法】変更
【補正の内容】
【０１１７】
請求項５記載の発明は、ログインした前記クライアント端末に配信するログインしたユーザの勤務状況を表す画像データを更新する手段を備える請求項３記載の仮想オフィス空間提供装置であるので、画像データの更新によって各ユーザの最新の勤務状況を別のユーザに知らせることができる。
【手続補正１０８】
【補正対象書類名】明細書
【補正対象項目名】０１１８
【補正方法】変更
【補正の内容】
【０１１８】
請求項６記載の発明は、前記表示切替プログラムは、前記クライアント端末に、前記クライアント端末が閲覧しているユーザグループを特定するグループ特定情報を前記仮想オフィス空間提供装置に送信する機能を実行させ、前記クライアント端末から送信されたグループ特定情報に基づいてそのクライアント端末が閲覧しているユーザグループを認識する手段と、その認識結果に基づいて、ログインしたユーザの勤務状況を表す画像データの更新頻度を、前記クライアント端末が閲覧しているユーザグループの方を閲覧していないユーザグループの方よりも多くする手段と、を備える請求項５記載の仮想オフィス空間提供装置であるので、サーバ端末からクライアント端末に対する通信トラフィック量の減少を図ることができ、したがって、参加ユーザ数が増加した場合にも各ハードウェア資源に対する負担を減らすことができる。
【手続補正１０９】
【補正対象書類名】明細書
【補正対象項目名】０１１９
【補正方法】変更
【補正の内容】
【０１１９】
請求項７記載の発明は、ユーザグループを定義する手段は、入力操作に応じてユーザグループを定義する請求項３記載の仮想オフィス空間提供装置であるので、サーバの例えば管理者によってユーザグループを一元的に定義することができ、したがって、各クライアント端末を使用するユーザにユーザグループ定義操作を強いることなく、各ユーザは予め定義されたユーザグループを容易に利用することができる。
【手続補正１１０】
【補正対象書類名】明細書
【補正対象項目名】０１２０
【補正方法】変更
【補正の内容】
【０１２０】
請求項８記載の発明は、ユーザグループを定義する手段は、前記クライアント端末側からの指示に応じてそのクライアント端末でのみ有効となるようにユーザグループを定義する請求項３記載の仮想オフィス空間提供装置であるので、各クライアント端末を使用するユーザに対して、そのユーザ独自のユーザグループ定義を許容することができ、柔軟かつ弾力的な運用を提供することができる。
【手続補正１１１】
【補正対象書類名】明細書
【補正対象項目名】０１２１
【補正方法】変更
【補正の内容】
【０１２１】
請求項９記載の発明は、前記表示切替プログラムは、前記クライアント端末に、他の前記クライアント端末からの指示に応じてそのクライアント端末でのみ有効となるように実行されるユーザグループの定義を自機でも有効となるようにする機能を実行させる請求項８記載の仮想オフィス空間提供装置であるので、他のユーザが定義したユーザグループをそのまま利用することができ、各クライアント端末を使用するユーザにユーザグループ定義操作を強いることなく、各ユーザは例えばグループリーダが予め定義したようなユーザグループを容易に利用することができる。
【手続補正１１２】
【補正対象書類名】明細書
【補正対象項目名】０１２２
【補正方法】変更
【補正の内容】
【０１２２】
請求項１０記載の発明は、前記クライアント端末での閲覧画面中におけるログインしたユーザの配列を定義する手段と、前記クライアント端末での閲覧画面中におけるログインしたユーザの配列を定義されたユーザ配列に切り替えるための表示切替プログラムを送信する手段と、を実行させる請求項２記載の仮想オフィス空間提供装置であるので、クライアント端末での閲覧画面中のユーザ配列を自由に定義することができ、したがって、参加ユーザ数が増加した場合にも閲覧画面の視認性低下を防止することができる。
【手続補正１１３】
【補正対象書類名】明細書
【補正対象項目名】０１２３
【補正方法】変更
【補正の内容】
【０１２３】
請求項１１記載の発明は、前記ユーザ配列を定義する手段は、入力操作に応じてユーザ配列を定義する請求項１０記載の仮想オフィス空間提供装置であるので、サーバの例えば管理者によってユーザ配列を一元的に定義することができ、したがって、各クライアント端末を使用するユーザにユーザ配列定義操作を強いることなく、各ユーザは予め定義されたユーザ配列を容易に利用することができる。
【手続補正１１４】
【補正対象書類名】明細書
【補正対象項目名】０１２４
【補正方法】変更
【補正の内容】
【０１２４】
請求項１２記載の発明は、前記ユーザ配列を定義する手段は、前記クライアント端末側からの指示に応じてそのクライアント端末でのみ有効となるようにユーザ配列を定義する請求項１０記載の仮想オフィス空間提供装置であるので、各クライアント端末を使用するユーザに対して、そのユーザ独自のユーザ配列定義を許容することができ、柔軟かつ弾力的な運用を提供することができる。
【手続補正１１５】
【補正対象書類名】明細書
【補正対象項目名】０１２５
【補正方法】変更
【補正の内容】
【０１２５】
請求項１３記載の発明は、前記表示切替プログラムは、前記クライアント端末に、他の前記クライアント端末からの指示に応じてそのクライアント端末でのみ有効となるように実行される前記ユーザ配列の定義を自機でも有効となるようにする機能を実行させる請求項１２記載の仮想オフィス空間提供装置であるので、他のユーザが定義したユーザ配列をそのまま利用することができ、各クライアント端末を使用するユーザにユーザ配列定義操作を強いることなく、各ユーザは例えばグループリーダが予め定義したようなユーザ配列を容易に利用することができる。
【手続補正１１６】
【補正対象書類名】明細書
【補正対象項目名】０１２６
【補正方法】変更
【補正の内容】
【０１２６】
請求項１４記載の発明は、前記クライアント端末に配信するログインしたユーザの勤務状況を表す画像データを加工する表示制御を実行する手段を備える請求項２記載の仮想オフィス空間提供装置であるので、参加ユーザ数が増加した場合には、例えば相互に全く知らない参加者が参加ユーザとなることがあるため、ログインしたユーザの勤務状況を表す画像データによってそのユーザの容姿やオフィス環境が他のユーザに知られてしまうと、プライバシーが侵害されてしまったり、あるいはプライバシーが侵害されていると参加ユーザに感じさせてしまうことが予測されるのに対して、画像データを加工する表示制御を実行することで、プライバシーの保護を図ることができる。
【手続補正１１７】
【補正対象書類名】明細書
【補正対象項目名】０１２７
【補正方法】変更
【補正の内容】
【０１２７】
請求項１５記載の発明は、記憶領域に記憶されている前記クライアント端末を使用するユーザ間の関係を定義するユーザ関係定義と、このユーザ関係定義に基づいて決定されるログインしたユーザの勤務状況を表す画像データに対して実行すべき表示制御の内容を定義する制御定義と、を参照する手段と、参照した前記ユーザ関係定義に基づき決定される前記制御定義に従い、個々の前記クライアント端末に配信するログインしたユーザの勤務状況を表す画像データに対して実行すべき表示制御の内容を決定する手段と、を備える請求項１４記載の仮想オフィス空間提供装置であるので、例えば、正規社員、派遣社員、アルバイトという社員形態の区分等を基準としてユーザレベルに高低が付けられていると想定した場合、低レベルのユーザには高レベルのユーザのログインしたユーザの勤務状況を表す画像データを閲覧させないというような運用や、全く関係ないユーザ同士ではログインしたユーザの勤務状況を表す画像データを閲覧させないというような運用等、柔軟かつ弾力的な運用を提供することができる。
【手続補正１１８】
【補正対象書類名】明細書
【補正対象項目名】０１２８
【補正方法】変更
【補正の内容】
【０１２８】
請求項１６記載の発明は、他のユーザが前記クライアント端末で閲覧する自分の勤務状況を表す画像データに対して実行すべき表示制御の内容を指示する表示制御指示を前記クライアント端末から自機に送信可能とする表示制御指示プログラムを前記クライアント端末に送信する手段と、前記クライアント端末から送信された表示制御指示に応じて、前記クライアント端末に配信するログインしたユーザの勤務状況を表す画像データに対して実行すべき表示制御の内容を決定する手段と、を備える請求項１４記載の仮想オフィス空間提供装置であるので、ユーザが自分自身で表示制御の内容を指示することができ、したがって、プライバシーの保護をより強化することができる。
【手続補正１１９】
【補正対象書類名】明細書
【補正対象項目名】０１２９
【補正方法】変更
【補正の内容】
【０１２９】
請求項１７記載の発明は、前記表示制御指示プログラムは、前記クライアント端末に、画像データに対して実行する表示制御の内容を規定する複数の表示制御パラメータの中から所望の表示制御パラメータを選択する機能を実行させ、これによって自分の勤務状況を表す画像データに対して実行すべき表示制御の内容をユーザに指示させるようにした請求項１６記載の仮想オフィス空間提供装置であるので、ユーザが自分自身で表示制御の内容を指示する際の操作性を向上させることができる。
【手続補正１２０】
【補正対象書類名】明細書
【補正対象項目名】０１３０
【補正方法】変更
【補正の内容】
【０１３０】
請求項１８記載の発明は、前記表示制御指示プログラムは、前記クライアント端末に、画像データに対して実行する表示制御の内容を規定する表示制御パラメータを調整する機能を実行させ、これによって自分の勤務状況を表す画像データに対して実行すべき表示制御の程度をユーザに指示させるようにした請求項１６記載の仮想オフィス空間提供装置であるので、表示制御の程度、例えばログインしたユーザの勤務状況を表す画像データを全く閲覧できない程度にぼやかしたり、輪郭はぼんやりと表示可能としながら誰なのかを視認できないようにぼやかしたり、誰だか判別できる程度には表示可能としながらぼかしを入れたり等、その表示制御の程度を設定する自由度をユーザに提供し、柔軟かつ弾力的な運用を提供することができる。
【手続補正１２１】
【補正対象書類名】明細書
【補正対象項目名】０１３１
【補正方法】変更
【補正の内容】
【０１３１】
請求項１９記載の発明は、ログインした前記クライアント端末に対して、選択指示に応じてリンク先の情報を閲覧可能とするリンク情報を表示させる手段を備える請求項２記載の仮想オフィス空間提供装置であるので、勤務状況以外の重要情報等を参加ユーザに速やかに参照させることができ、これによって各ユーザ間の情報共有をより効果的に実現させることができ、したがって、仮想オフィスをクライアント端末で閲覧可能とする効用を高めることができる。
【手続補正１２２】
【補正対象書類名】明細書
【補正対象項目名】０１３２
【補正方法】変更
【補正の内容】
【０１３２】
請求項２０記載の発明は、表示させるリンク情報を、ログインした前記クライアント端末を使用するユーザに応じて個々に決定する請求項１９記載の仮想オフィス空間提供装置であるので、例えばそのユーザにとって重要な情報をそのユーザに速やかに参照させることができ、これにより、仮想オフィスをクライアント端末で閲覧可能とする効用を高めることができる。
【手続補正１２３】
【補正対象書類名】明細書
【補正対象項目名】０１３３
【補正方法】変更
【補正の内容】
【０１３３】
請求項２１記載の発明は、表示させるリンク情報を、ログインした前記クライアント端末を使用するユーザが属するユーザグループに応じて個々に決定する請求項１９記載の仮想オフィス空間提供装置であるので、例えばそのユーザが属するグループにとって重要な情報をそのユーザに速やかに参照させることができ、これによってグループ内での情報共有をより効果的に実現させることができ、したがって、仮想オフィスをクライアント端末で閲覧可能とする効用を高めることができる。
【手続補正１２４】
【補正対象書類名】明細書
【補正対象項目名】０１３４
【補正方法】変更
【補正の内容】
【０１３４】
請求項２２記載の発明は、通信ネットワークを介してサーバ端末と複数のクライアント端末とがデータの送受信を行なうシステムで実行される仮想オフィス空間提供方法であって、前記サーバ端末が、前記通信ネットワークを介して前記クライアント端末をログインさせる工程と、ログインした前記クライアント端末から送信されたそのユーザの勤務状況を表す画像データを記憶領域に記憶する工程と、ログインした前記クライアント端末に対して、前記記憶領域に記憶するログインしたユーザの勤務状況を表す画像データを規定のブラウザによって閲覧可能なデータ形式で配信する工程と、を実行し、前記規定のブラウザをインストールしている前記クライアント端末が、前記サーバ端末にログイン情報を送信する工程と、前記サーバ端末にユーザの勤務状況を表す画像データを送信する工程と、前記サーバ端末から配信されたログインしたユーザの勤務状況を表す画像データを前記ブラウザのブラウズ機能を用いて閲覧可能にする工程と、を実行し、ログイン中のユーザの勤務状況を表す画像データを個々の前記クライアント端末で相互に閲覧可能にした仮想オフィス空間提供方法であるので、ログイン中のユーザの勤務状況を表す画像データを個々のクライアント端末で相互に閲覧可能にする環境を提供することができ、現実のオフィスが空間的に離れていたとしても、そのような空間内の現実の移動を強いることなく、各ユーザの在席確認や雰囲気共有等を実現することができる。
【手続補正１２５】
【補正対象書類名】明細書
【補正対象項目名】０１３５
【補正方法】削除
【補正の内容】
【手続補正１２６】
【補正対象書類名】明細書
【補正対象項目名】０１３６
【補正方法】削除
【補正の内容】
【手続補正１２７】
【補正対象書類名】明細書
【補正対象項目名】０１３７
【補正方法】削除
【補正の内容】
【手続補正１２８】
【補正対象書類名】明細書
【補正対象項目名】０１３８
【補正方法】削除
【補正の内容】
【手続補正１２９】
【補正対象書類名】明細書
【補正対象項目名】０１３９
【補正方法】削除
【補正の内容】
【手続補正１３０】
【補正対象書類名】明細書
【補正対象項目名】０１４０
【補正方法】削除
【補正の内容】
【手続補正１３１】
【補正対象書類名】明細書
【補正対象項目名】０１４１
【補正方法】削除
【補正の内容】
【手続補正１３２】
【補正対象書類名】明細書
【補正対象項目名】０１４２
【補正方法】削除
【補正の内容】
【手続補正１３３】
【補正対象書類名】明細書
【補正対象項目名】０１４３
【補正方法】削除
【補正の内容】
【手続補正１３４】
【補正対象書類名】明細書
【補正対象項目名】０１４４
【補正方法】削除
【補正の内容】
【手続補正１３５】
【補正対象書類名】明細書
【補正対象項目名】０１４５
【補正方法】削除
【補正の内容】
【手続補正１３６】
【補正対象書類名】明細書
【補正対象項目名】０１４６
【補正方法】削除
【補正の内容】
【手続補正１３７】
【補正対象書類名】明細書
【補正対象項目名】０１４７
【補正方法】削除
【補正の内容】
【手続補正１３８】
【補正対象書類名】明細書
【補正対象項目名】０１４８
【補正方法】削除
【補正の内容】
【手続補正１３９】
【補正対象書類名】明細書
【補正対象項目名】０１４９
【補正方法】削除
【補正の内容】
【手続補正１４０】
【補正対象書類名】明細書
【補正対象項目名】０１５０
【補正方法】削除
【補正の内容】
【手続補正１４１】
【補正対象書類名】明細書
【補正対象項目名】０１５１
【補正方法】削除
【補正の内容】
【手続補正１４２】
【補正対象書類名】明細書
【補正対象項目名】０１５２
【補正方法】削除
【補正の内容】
【手続補正１４３】
【補正対象書類名】明細書
【補正対象項目名】０１５３
【補正方法】削除
【補正の内容】
【手続補正１４４】
【補正対象書類名】明細書
【補正対象項目名】０１５４
【補正方法】変更
【補正の内容】
【０１５４】
請求項２３記載の発明は、通信ネットワークを介してサーバ端末と複数のクライアント端末とがデータの送受信を行なうシステムであって、前記サーバ端末は、前記通信ネットワークを介して前記クライアント端末をログインさせる手段と、ログインした前記クライアント端末から送信されたそのユーザの勤務状況を表す画像データを記憶領域に記憶する手段と、ログインした前記クライアント端末に対して、前記記憶領域に記憶するログインしたユーザの勤務状況を表す画像データを規定のブラウザによって閲覧可能なデータ形式で配信する手段と、を備え、前記クライアント端末は、前記規定のブラウザをインストールしており、前記サーバ端末にログイン情報を送信する手段と、前記サーバ端末にユーザの勤務状況を表す画像データを送信する手段と、前記サーバ端末から配信されたログインしたユーザの勤務状況を表す画像データを前記ブラウザのブラウズ機能を用いて閲覧可能にする手段と、を備え、ログイン中のユーザの勤務状況を表す画像データを個々の前記クライアント端末で相互に閲覧可能にした仮想オフィス空間提供システムであるので、ログイン中のユーザの勤務状況を表す画像データを個々のクライアント端末で相互に閲覧可能にする環境を提供することができ、現実のオフィスが空間的に離れていたとしても、そのような空間内の現実の移動を強いることなく、各ユーザの在席確認や雰囲気共有等を実現することができる。
【手続補正１４５】
【補正対象書類名】明細書
【補正対象項目名】０１５５
【補正方法】削除
【補正の内容】
【手続補正１４６】
【補正対象書類名】明細書
【補正対象項目名】０１５６
【補正方法】削除
【補正の内容】
【手続補正１４７】
【補正対象書類名】明細書
【補正対象項目名】０１５７
【補正方法】削除
【補正の内容】
【手続補正１４８】
【補正対象書類名】明細書
【補正対象項目名】０１５８
【補正方法】削除
【補正の内容】
【手続補正１４９】
【補正対象書類名】明細書
【補正対象項目名】０１５９
【補正方法】削除
【補正の内容】
【手続補正１５０】
【補正対象書類名】明細書
【補正対象項目名】０１６０
【補正方法】削除
【補正の内容】
【手続補正１５１】
【補正対象書類名】明細書
【補正対象項目名】０１６１
【補正方法】削除
【補正の内容】
【手続補正１５２】
【補正対象書類名】明細書
【補正対象項目名】０１６２
【補正方法】削除
【補正の内容】
【手続補正１５３】
【補正対象書類名】明細書
【補正対象項目名】０１６３
【補正方法】削除
【補正の内容】
【手続補正１５４】
【補正対象書類名】明細書
【補正対象項目名】０１６４
【補正方法】削除
【補正の内容】
【手続補正１５５】
【補正対象書類名】明細書
【補正対象項目名】０１６５
【補正方法】削除
【補正の内容】
【手続補正１５６】
【補正対象書類名】明細書
【補正対象項目名】０１６６
【補正方法】削除
【補正の内容】
【手続補正１５７】
【補正対象書類名】明細書
【補正対象項目名】０１６７
【補正方法】削除
【補正の内容】
【手続補正１５８】
【補正対象書類名】明細書
【補正対象項目名】０１６８
【補正方法】削除
【補正の内容】
【手続補正１５９】
【補正対象書類名】明細書
【補正対象項目名】０１６９
【補正方法】削除
【補正の内容】
【手続補正１６０】
【補正対象書類名】明細書
【補正対象項目名】０１７０
【補正方法】削除
【補正の内容】
【手続補正１６１】
【補正対象書類名】明細書
【補正対象項目名】０１７１
【補正方法】削除
【補正の内容】
【手続補正１６２】
【補正対象書類名】明細書
【補正対象項目名】０１７２
【補正方法】削除
【補正の内容】
【手続補正１６３】
【補正対象書類名】明細書
【補正対象項目名】０１７３
【補正方法】削除
【補正の内容】
【手続補正１６４】
【補正対象書類名】明細書
【補正対象項目名】０１７４
【補正方法】削除
【補正の内容】